(57)【要約】【課題】コードリーダを持たない端末の設定を行うことができ、パスワードなどの防護策を特に必要としない通信端末接続方法および通信サーバを提供する。【解決手段】所定の接続設定用端末にのみ新規の通信端末３０をＩＰ網２０に接続する権限を与える。そして、各通信端末３０の端末接続情報は、それぞれＱＲコード（登録商標）として提供される。接続設定用端末のカメラで撮像されたＱＲコードに基づいて、接続設定用端末およびＳＩＰサーバ１０は、新規の通信端末３０をＩＰ網２０に接続する。【選択図】図１
2008252771.tif 000002
【特許請求の範囲】
【請求項１】
ＩＰ（Internet Protocol）網に接続されている通信サーバと、当該通信サーバを介して当該ＩＰ網に接続される通信端末と、から構成されるＩＰ通信システムに、新規の通信端末を接続する通信端末接続方法であって、
前記通信端末のうちの所定の通信端末は、新規の通信端末を前記ＩＰ網へ接続するための端末接続情報が符号化された接続設定コードを撮像し、撮像画像を復号して得られた前記端末接続情報を当該所定の通信端末の端末識別情報とともに前記通信サーバに送信する機能を備え、
前記通信サーバが、前記所定の通信端末から送信された端末接続情報と端末識別情報とを受信するステップと、
前記通信サーバが、受信した前記端末識別情報に基づいて、前記所定の通信端末が接続設定を行うことを許可されているか否かを、あらかじめ設定されている接続設定可否情報に基づいて判別するステップと、
前記通信サーバが、前記所定の通信端末が接続設定を行うことを許可されていると判別した場合、受信した前記端末接続情報に基づいて、新規の通信端末を前記ＩＰ網に接続するステップと、
から構成されることを特徴とする通信端末接続方法。
【請求項２】
前記通信サーバが、受信した前記端末識別情報の履歴を記憶するステップと、
前記通信サーバが、記憶した前記端末識別情報の履歴のうち、最初のものである前記端末識別情報に対応付けられた前記通信端末を、接続設定を行うことを許可されている通信端末であると判別するステップと、
をさらに備えることを特徴とする請求項１に記載の通信端末接続方法。
【請求項３】
前記端末接続情報は、接続設定を行う新規の通信端末の端末識別情報を含み、
前記通信サーバは、前記端末接続情報から、接続設定を行う新規の通信端末の端末識別情報を抽出して出力するステップと、
前記通信サーバは、出力した新規の通信端末の端末識別情報と、前記通信端末のうち所定の端末の前記送信手段から受信した端末識別情報とが一致する場合、前記所定の端末を、接続設定を行うことを許可されている端末であると判別するステップと、
をさらに備えることを特徴とする請求項１または２に記載の通信端末接続方法。
【請求項４】
新規の通信端末をＩＰ網へ接続するための端末接続情報が符号化された接続設定コードを撮像し、撮像画像を復号して得られた前記端末接続情報を当該所定の通信端末の端末識別情報とともに前記通信サーバに送信する機能を備える所定の通信端末を含む複数の通信端末を当該ＩＰ網に接続する通信サーバであって、
前記所定の通信端末から送信された端末接続情報と端末識別情報とを受信する受信手段と、
前記受信手段が受信した前記端末識別情報に基づいて、前記所定の通信端末が接続設定を行うことを許可されているか否かを、あらかじめ設定されている接続設定可否情報に基づいて判別する接続設定可否判別手段と、
前記所定の通信端末が接続設定を行うことを許可されていると判別した場合、受信した前記端末接続情報に基づいて、新規の通信端末を前記ＩＰ網に接続する新規端末接続手段と、
から構成されることを特徴とする通信サーバ。
【請求項５】
受信した前記端末識別情報の履歴を記憶する識別情報履歴記憶手段と、
前記識別情報履歴記憶手段が記憶した前記端末識別情報の履歴のうち、最初のものである前記端末識別情報に対応付けられた前記通信端末を、接続設定を行うことを許可されている通信端末であると判別する手段と、
をさらに備えることを特徴とする請求項４に記載の通信サーバ。
【請求項６】
前記端末接続情報は、接続設定を行う前記通信端末の端末識別情報を含み、
前記端末接続情報から、接続設定を行う新規の通信端末の端末識別情報を抽出して出力する識別情報出力手段と、
前記識別情報出力手段が出力した新規の通信端末の端末識別情報と、前記通信端末のうち所定の端末の前記送信手段から受信した端末識別情報とが一致する場合、前記所定の端末を、接続設定を行うことを許可されている端末であると判別する手段と、
をさらに備えることを特徴とする請求項４または５に記載の通信サーバ。
【発明の詳細な説明】
【技術分野】
【０００１】
本発明は、ＩＰ（Internet Protocol）網に接続されている通信サーバと、当該通信サーバを介して当該ＩＰ網に接続される通信端末と、から構成されるＩＰ通信システムに、新規の通信端末を接続する通信端末接続方法および通信サーバに関する。
【背景技術】
【０００２】
昨今、ＶｏＩＰ（Voice over IP）に対応するＬＡＮ（Local Area Network）システムが要望されている。従来、このようなＬＡＮシステムとしては、サーバおよび複数の電話端末によってＬＡＮを構成するものが、たとえば、社内電話システムとして実現されている。
【０００３】
このようなＬＡＮを、ＶｏＩＰを用いた電話に対応させるためには、ＳＩＰ（Session Initiation Protocol）サーバを介して電話端末をＩＰ網に接続させた上で、ＳＩＰサーバをＩＰ網に接続設定する必要がある。電話端末が携帯電話であれば、ＳＩＰサーバとは無線ＬＡＮで接続させ、電話端末が固定電話であれば、ＳＩＰサーバとは有線ＬＡＮで接続する。
【０００４】
新規の電話端末を増設する際には、ＳＩＰサーバ側の接続設定を、ＰＣ等でＳＩＰサーバに直接接続することで行いつつ、電話端末自体も接続設定を行う必要がある。その結果、ネットワークに関する知識の乏しい者は、新規の電話端末の増設作業は困難な作業となる。一方、新規の電話端末を増設するたびに業者を呼んで作業を依頼すると、作業費が発生するという問題点が生じる。
【０００５】
接続設定を容易にするための技術として、特許文献１には、接続設定に必要なデータをＱＲコード（登録商標）にあらかじめ符号化し、ＱＲコードリーダを備えた無線端末でそのＱＲコードを読み込んで復号して得られた接続設定に必要なデータをＳＩＰサーバに送信する、という接続設定方法が開示されている。
【特許文献１】特開２００６−１５７８１５号公報
【発明の開示】
【発明が解決しようとする課題】
【０００６】
しかし、特許文献１で開示された接続設定方法は、設定を行う端末がコードリーダを備える必要があり、固定電話などのコードリーダを持たない端末の設定を行うことができない。また、悪意ある者がＳＩＰサーバに通信端末を接続設定することを防止するためには、パスワードなどの防護策が必要となる。
【０００７】
本発明は、上記問題点に鑑みてなされたものであり、コードリーダを持たない端末の設定を行うことができる通信端末接続方法および通信サーバを提供することを第１の課題とする。また、パスワードなどの防護策を特に必要とせずに、悪意ある者がＳＩＰサーバに通信端末を接続設定することを防止できる通信端末接続方法および通信サーバを提供することを第２の課題とする。
【課題を解決するための手段】
【０００８】
上記課題を解決するために、本発明の第１の観点に係る通信端末接続方法は、
ＩＰ（Internet Protocol）網に接続されている通信サーバと、当該通信サーバを介して当該ＩＰ網に接続される通信端末と、から構成されるＩＰ通信システムに、新規の通信端末を接続する通信端末接続方法であって、
前記通信端末のうちの所定の通信端末は、新規の通信端末を前記ＩＰ網へ接続するための端末接続情報が符号化された接続設定コードを撮像し、撮像画像を復号して得られた前記端末接続情報を当該所定の通信端末の端末識別情報とともに前記通信サーバに送信する機能を備え、
前記通信サーバが、前記所定の通信端末から送信された端末接続情報と端末識別情報とを受信するステップと、
前記通信サーバが、受信した前記端末識別情報に基づいて、前記所定の通信端末が接続設定を行うことを許可されているか否かを、あらかじめ設定されている接続設定可否情報に基づいて判別するステップと、
前記通信サーバが、前記所定の通信端末が接続設定を行うことを許可されていると判別した場合、受信した前記端末接続情報に基づいて、新規の通信端末を前記ＩＰ網に接続するステップと、
から構成されることを特徴とする。
【０００９】
前記通信サーバが、受信した前記端末識別情報の履歴を記憶するステップと、
前記通信サーバが、記憶した前記端末識別情報の履歴のうち、最初のものである前記端末識別情報に対応付けられた前記通信端末を、接続設定を行うことを許可されている通信端末であると判別するステップと、
をさらに備えることを特徴としてもよい。
【００１０】
前記端末接続情報は、接続設定を行う新規の通信端末の端末識別情報を含み、
前記通信サーバは、前記端末接続情報から、接続設定を行う新規の通信端末の端末識別情報を抽出して出力するステップと、
前記通信サーバは、出力した新規の通信端末の端末識別情報と、前記通信端末のうち所定の端末の前記送信手段から受信した端末識別情報とが一致する場合、前記所定の端末を、接続設定を行うことを許可されている端末であると判別するステップと、
をさらに備えることを特徴としてもよい。
【００１１】
上記課題を解決するため、本発明の第２の観点に係る通信サーバは、
新規の通信端末をＩＰ網へ接続するための端末接続情報が符号化された接続設定コードを撮像し、撮像画像を復号して得られた前記端末接続情報を当該所定の通信端末の端末識別情報とともに前記通信サーバに送信する機能を備える所定の通信端末を含む複数の通信端末を当該ＩＰ網に接続する通信サーバであって、
前記所定の通信端末から送信された端末接続情報と端末識別情報とを受信する受信手段と、
前記受信手段が受信した前記端末識別情報に基づいて、前記所定の通信端末が接続設定を行うことを許可されているか否かを、あらかじめ設定されている接続設定可否情報に基づいて判別する接続設定可否判別手段と、
前記所定の通信端末が接続設定を行うことを許可されていると判別した場合、受信した前記端末接続情報に基づいて、新規の通信端末を前記ＩＰ網に接続する新規端末接続手段と、
から構成されることを特徴とする。
【００１２】
受信した前記端末識別情報の履歴を記憶する識別情報履歴記憶手段と、
前記識別情報履歴記憶手段が記憶した前記端末識別情報の履歴のうち、最初のものである前記端末識別情報に対応付けられた前記通信端末を、接続設定を行うことを許可されている通信端末であると判別する手段と、
をさらに備えることを特徴としてもよい。
【００１３】
前記端末接続情報は、接続設定を行う前記通信端末の端末識別情報を含み、
前記端末接続情報から、接続設定を行う新規の通信端末の端末識別情報を抽出して出力する識別情報出力手段と、
前記識別情報出力手段が出力した新規の通信端末の端末識別情報と、前記通信端末のうち所定の端末の前記送信手段から受信した端末識別情報とが一致する場合、前記所定の端末を、接続設定を行うことを許可されている端末であると判別する手段と、
をさらに備えることを特徴としてもよい。
【発明の効果】
【００１４】
本発明によれば、コードリーダを持たない端末の設定を行うことができる通信端末接続方法および通信サーバを提供できる。また、本発明によれば、パスワードなどの防護策を特に必要とせずに、悪意ある者がＳＩＰサーバに通信端末を接続設定することを防止できる。
【発明を実施するための最良の形態】
【００１５】
以下、図面を参照して、本発明の実施形態に係るＩＰ電話システムについて説明する。
【００１６】
図１に示されるように、ＩＰ電話システム１００は、ＩＰ網２０に接続されたＳＩＰサーバ１０と、ＳＩＰサーバ１０に接続される複数の通信端末（End Point, EP）３０（３０−１〜３０−Ｎ）と、から構成される。図１にはＩＰ網２０に１台のＳＩＰサーバ１０しか示されていないが、ＳＩＰサーバ１０の台数に制限はない。また、ＳＩＰサーバ１０に接続される通信端末３０の台数にも制限はない。ＳＩＰサーバ１０と通信端末３０とはＬＡＮを構成する。ＳＩＰサーバ１０と通信端末３０とは無線ＬＡＮで接続されてもよい。なお、通信端末３０としては、携帯電話機を用いることができる。
【００１７】
図２に示されるように、ＳＩＰサーバ１０は、ＣＰＵ１１、ＲＯＭ１２、ＲＡＭ１３、有線通信制御部１４、無線通信制御部１５、無線送受信部１６、バス１７から構成され、ＣＰＵ１１、ＲＯＭ１２、ＲＡＭ１３、有線通信制御部１４、無線通信制御部１５、無線送受信部１６はバス１７に接続されている。
【００１８】
ＣＰＵ１１は、ＲＯＭ１２やＲＡＭ１３に格納されたプログラムにしたがって、ＲＯＭ１２やＲＡＭ１３に格納されたデータを処理し、その結果をＲＡＭ１３に格納したり、有線通信制御部１４や無線通信制御部１５とデータを送受信したりする。
【００１９】
ＲＯＭ１２は、ＣＰＵ１１が所定の処理を実行するために用いるプログラムや、所定のデータを記憶する。
【００２０】
ＲＡＭ１３は、ＣＰＵ１１のワークエリアとして用いられる。また、ＲＡＭ１３は、ＣＰＵ１１が所定の処理を実行するために用いるプログラムや、ＣＰＵ１１の処理結果などを保存する。
【００２１】
有線通信制御部１４は、ＮＩＣ（Network Interface Card）から構成され、ＩＰ網２０とデータを授受する。受け取ったデータはＣＰＵ１１に渡される。また、ＣＰＵ１１からデータを受け取り、ＩＰ網２０にデータを発信する。
【００２２】
無線通信制御部１５は、ＮＩＣから構成され、無線送受信部１６が授受したデータを扱う。無線通信制御部１５は、ＣＰＵ１１から受け取ったデータを無線送受信部１６に渡す。また、無線通信制御部１５は、無線送受信部１６から受け取ったデータをＣＰＵ１１に渡す。
【００２３】
無線送受信部１６は、無線アンテナから構成され、無線通信によりデータの授受を行う。無線送受信部１６は、無線通信制御部１５から受け取ったデータを無線で発信し、受信したデータを無線通信制御部１５に渡す。
【００２４】
図３に示されるように、通信端末３０は、ＣＰＵ３１、ＲＯＭ３２、ＲＡＭ３３、無線通信制御部３４、画像表示部３５、Ａ／Ｄ変換器３６、カメラ３７、入力部３８、バス３９から構成され、ＣＰＵ３１、ＲＯＭ３２、ＲＡＭ３３、無線通信制御部３４、画像表示部３５、Ａ／Ｄ変換器３６、入力部３８はバス３９に接続されている。
【００２５】
ＣＰＵ３１は、ＲＯＭ３２やＲＡＭ３３に格納されたプログラムにしたがって、ＲＯＭ３２やＲＡＭ３３に格納されたデータを処理し、その結果をＲＡＭ３３に格納したり、無線通信制御部３４とデータを送受信したり、画像表示部３５に画像を表示したりする。
【００２６】
ＲＯＭ３２は、ＣＰＵ３１が所定の処理を実行するために用いるプログラムや、所定のデータを記憶する。
【００２７】
ＲＡＭ３３は、ＣＰＵ３１のワークエリアとして用いられる。また、ＲＡＭ３３は、ＣＰＵ３１が所定の処理を実行するために用いるプログラムや、ＣＰＵ３１の処理結果などを保存する。
【００２８】
無線通信制御部３４は、ＮＩＣと無線アンテナとから構成され、無線通信によりデータの授受を行う。無線通信制御部３４は、ＣＰＵ３１から受け取ったデータを無線で発信し、受信したデータをＣＰＵ３１に渡す。なお、このＮＩＣにはＭＡＣアドレスが割り当てられており、ＣＰＵ３１が無線通信制御部３４にＭＡＣアドレスを呼び出すプログラムを実行することで、ＣＰＵ３１が当該ＭＡＣアドレスを取得できるものとする。また、ＭＡＣアドレスを呼び出すプログラムは、ＲＯＭ３２に記憶されているものとする。
【００２９】
画像表示部３５は、フレームバッファと液晶画面とから構成され、ＣＰＵ３１から転送される画像データに基づいて、画像を表示する。
【００３０】
Ａ／Ｄ（Analogue/Digital）変換器３６は、カメラ３７が撮像した画像をデジタル化する。
【００３１】
カメラ３７は、レンズを備え、ＱＲコードなどを撮像し、撮像画像をＡ／Ｄ変換器３６に渡す。
【００３２】
入力部３８は、テンキーやカメラのシャッターボタンから構成され、ユーザからの入力信号をＣＰＵ３１に渡す。
【００３３】
以上で、ＩＰ電話システム１００を構成する各要素の説明を終了する。
【００３４】
次に、ＳＩＰサーバ１０がＩＰ網２０に通信端末３０を接続するために用いる情報について、図４から図７を用いて説明する。
【００３５】
まず、ＳＩＰサーバ１０を介してＩＰ網２０に通信端末３０を接続するために用いられる端末接続情報について説明する。
【００３６】
図４に示すように、端末接続情報４０は、接続する端末のＭＡＣアドレスと、接続する端末のＩＰ−ＩＤと、接続する端末のパスワードと、接続する端末の電話番号と、接続する端末の内線番号と、から構成される。図４に示す端末接続情報４０の場合、接続する端末のＭＡＣアドレスは０１：０２：０３：００：００：００、接続する端末のＩＰ−ＩＤは１９２．１６８．１０．１、接続する端末のパスワードはｐａｓｓｗｄ、接続する端末の電話番号は０６−１２３４−５６７８、接続する端末の内線番号は１０００であることがわかる。この端末接続情報４０は、たとえば株式会社デンソーウェーブが販売しているソフトウェアであるＱＲｄｒａｗ（登録商標）（URL: http://www.denso-wave.com/qrcode/download.html）によって、ＱＲコード４１に変換（エンコード）することが可能である。また、ＱＲコード４１を端末接続情報４０に変換（デコード）することも可能であり、この変換を行うソフトウェアには、たとえば株式会社デンソーウェーブが販売しているＱＲｄｅｃｏｄｅｒ（商標）（URL: http://www.denso-wave.com/qrcode/download.html）がある。また、カメラを有する携帯端末の多くにＱＲコード４１をデコードするソフトウェアがインストールされている。この実施形態では、ＲＯＭ３２は、ＱＲコード４１を端末接続情報４０にデコードするためのプログラムを記憶しているものとする。また、この実施形態では、端末ごとに、その端末をＳＩＰサーバ１０を介してＩＰ網２０に接続するための端末接続情報４０をＱＲコード４１にしたものがそれぞれ割り振られ、配布されているものとする。
【００３７】
次に、ＳＩＰサーバ１０による通信端末３０のＭＡＣアドレスの管理について説明する。
【００３８】
ＳＩＰサーバ１０は、あらかじめ、ＳＩＰサーバ１０に無線でアクセス可能な接続設定用端末（接続要求を許可する端末。詳細は後述する）の候補となる通信端末３０を限定する。この実施形態では、図５に示す通信端末３０のＭＡＣアドレスのテーブル（以下、ＭＡＣアドレステーブル）５０の記憶領域をＲＡＭ３３に用意し、ＭＡＣアドレステーブル５０に記載されたＭＡＣアドレスを有する通信端末３０以外には接続要求を認めない。図５のＭＡＣアドレステーブル５０によれば、ＳＩＰサーバ１０は、０１：０２：０３：００：００：００、０１：０２：０３：１１：１１：１１、０１：０２：０３：２２：２２：２２、のＭＡＣアドレスを有する通信端末３０以外の通信端末３０には、ＳＩＰサーバ１０への接続要求を認めない。このように、ＳＩＰサーバ１０への接続要求に制限を設けることで、悪意ある者がＳＩＰサーバ１０に通信端末３０を無制限に接続設定することを防止することができる。
【００３９】
次に、ＳＩＰサーバ１０が管理する通信端末３０からの接続要求履歴の管理について説明する。
【００４０】
ＳＩＰサーバ１０は、図６に示すように、通信端末３０からの接続要求履歴を示すテーブル（以下、接続設定要求履歴テーブル）６０で、通信端末３０からの接続要求の履歴を管理する。
【００４１】
接続設定要求履歴テーブル６０は、図６に示すように、接続設定要求の日時、接続要求をした通信端末３０（接続設定端末）のＭＡＣアドレス、ＩＰ網２０に接続要求される通信端末３０のＭＡＣアドレス、端末接続情報４０、を管理する。Ｎｏ．（順番）の若い順に、接続設定要求の日時を新しいものとする。たとえば、図６に示す接続設定要求履歴テーブル６０のＮｏ．１の接続設定要求履歴は、接続設定要求の日時が２００７年３月１日１３時０分０秒で、接続要求をした通信端末３０のＭＡＣアドレスが０１：０２：０３：００：００：００で、ＩＰ網２０に接続要求される通信端末３０のＭＡＣアドレスが０１：０２：０３：００：００：００で、端末接続情報４０はＩＮＦＯ１で示されるものである。同様に、図６に示す接続設定要求履歴テーブル６０のＮｏ．２の接続設定要求履歴は、接続設定要求の日時が２００７年３月１日１３時３０分０秒で、接続要求をした通信端末３０のＭＡＣアドレスが０１：０２：０３：００：００：００で、ＩＰ網２０に接続要求される通信端末３０のＭＡＣアドレスが０１：０２：０３：１１：１１：１１で、端末接続情報４０はＩＮＦＯ２で示されるものである。図６に示されるように、Ｎｏ．２の接続設定要求の日時は、Ｎｏ．１の接続設定要求の日時よりも後になる。ここで、図６の接続設定要求履歴テーブル６０のＮｏ．１において、接続要求をした通信端末３０のＭＡＣアドレスと、ＩＰ網２０に接続要求される通信端末３０のＭＡＣアドレスとが同一であることに注意されたい。これについては後述する。
【００４２】
次に、ＳＩＰサーバ１０が管理する接続設定用端末のＭＡＣアドレスについて説明する。
【００４３】
接続設定用端末とは、通信端末３０のうち、接続要求を許可するものをいう。すなわち、この通信端末３０以外では、他の通信端末３０をＩＰ網２０に接続するようにＳＩＰサーバ１０が設定をすることを認めない。このように、所定の通信端末３０からのアクセスに限り接続要求を認めるようにすることで、悪意ある者がＳＩＰサーバ１０に通信端末３０を接続設定することを防止することができる。
【００４４】
この接続設定用端末のＭＡＣアドレスは、図７に示すように、接続設定用端末テーブル７０で管理される。図７に示すように、接続設定用端末テーブル７０には、接続設定用端末のＭＡＣアドレスとして０１：０２：０３：００：００：００が入っている。すなわち、ＳＩＰサーバ１０は、０１：０２：０３：００：００：００のＭＡＣアドレスを持つ通信端末３０のみ、自他の端末をＩＰ網２０に接続する要求を受け付ける。
【００４５】
以上で、ＳＩＰサーバ１０がＩＰ網２０に通信端末３０を接続するために用いる情報の説明を終了する。
【００４６】
次に、通信端末３０を、ＳＩＰサーバ１０を介してＩＰ網２０に接続する処理について、図８および図９を用いて説明する。
【００４７】
次に、端末ごとに割り振られたＱＲコード４１を用いて、通信端末３０がＩＰ網２０に接続するようＳＩＰサーバ１０に要求する処理である端末接続情報送信処理について、図８を用いて説明する。
【００４８】
まず、通信端末３０は、カメラ３７を用いてＱＲコード４１を撮像する（ステップＳ１１）。このＱＲコード４１は、自端末に割り振られたものでも他端末に割り振られたものでもよい。撮像されたＱＲコード４１は、Ａ／Ｄ変換器３６を通してデジタル化され、ＣＰＵ３１は、デジタル化された（データになった）ＱＲコード４１をＲＡＭ３３に記憶する。
【００４９】
ＣＰＵ３１は、ＲＯＭ３２に記憶されたＱＲコード４１のデコードプログラムを実行し、ＲＡＭ３３に記憶されたＱＲコード４１をデコードして端末接続情報４０を取得し（ステップＳ１２）、ＲＡＭ３３に保存する。
【００５０】
ＣＰＵ３１は、ＲＯＭ３２に記憶されたＭＡＣアドレス取得プログラムを実行し、自通信端末３０のＭＡＣアドレスを取得し（ステップＳ１３）、ＲＡＭ３３に保存する。
【００５１】
そして、ＣＰＵ３１は、ステップＳ１２でＲＡＭ３３に記憶されている端末接続情報４０と、ステップＳ１３でＲＡＭ３３に記憶されている自通信端末３０のＭＡＣアドレス（接続設定用端末としてのＭＡＣアドレス）とを、無線通信制御部３４を介してＳＩＰサーバ１０に送信する（ステップＳ１４）。
【００５２】
上述したように、通信端末３０をＩＰ網２０に接続するために必要な端末接続情報４０をＳＩＰサーバ１０に送信する手順（ステップＳ１１〜Ｓ１４）において、ユーザが行う手順はＱＲコード４１を撮像する（ステップＳ１１）のみであり、通信端末３０の接続設定手順の簡易化を図ることができる。
【００５３】
次に、通信端末３０から送られた端末接続情報およびＭＡＣアドレスを用いて、ＳＩＰサーバ１０が通信端末３０をＩＰ網２０に接続する端末接続処理について、図９を用いて説明する。
【００５４】
まず、図８で示したように、端末接続情報４０と、接続端末（接続設定端末）３０のＭＡＣアドレスとがＳＩＰサーバ１０に無線で送信される。ＣＰＵ１１は、これらを受信し（ステップＳ２１）、ＲＡＭ１３に記憶する。
【００５５】
端末接続情報４０は、図４に示すように、様々なパラメータから構成される情報である。ＣＰＵ１１は、ＲＡＭ１３に記憶された端末接続情報４０を各パラメータに分割し、その中からＩＰ網２０に接続する新規の通信端末３０のＭＡＣアドレスを取得し（ステップＳ２２）、ＲＡＭ１３に記憶する。
【００５６】
ＣＰＵ１１は、ステップＳ２１で取得した通信端末３０のＭＡＣアドレスが、図５に例示するＭＡＣアドレステーブル５０にあるかどうかを調べる（ステップＳ２３）。このようにすることで、登録権限のない通信端末３０がＳＩＰサーバ１０へアクセスすることを防ぐ。もし、ＭＡＣアドレステーブル５０にＭＡＣアドレスが存在するならば（ステップＳ２３；Ｙｅｓ）、処理はステップＳ２４へと移る。存在しないならば（ステップＳ２３；Ｎｏ）、この通信端末３０はＳＩＰサーバ１０へ接続要求する権限がないものとして処理は終了する。
【００５７】
次に、図７に示す接続設定用端末テーブル７０に、接続設定用端末のＭＡＣアドレスが存在するか否かを判別する（ステップＳ２４）。接続設定用端末テーブル７０は、当初はＭＡＣアドレスが存在せず、接続設定用端末とすることができる通信端末３０が存在すれば、その通信端末のＭＡＣアドレスを接続設定用端末テーブル７０に書き込む。そして、接続設定用端末テーブル７０は上書きされることはない。これは接続設定端末を特定することで、悪意ある者が他の通信端末３０を用いてＳＩＰサーバ１０に通信端末３０を接続設定することを防止するためである。
【００５８】
もし、接続設定用端末テーブル７０にＭＡＣアドレスが存在しないならば（ステップＳ２４；Ｎｏ）、ステップＳ２２で取得した新規の通信端末３０のＭＡＣアドレスと、接続設定端末のＭＡＣアドレスとが同一であるかどうかを判別する（ステップＳ２５）。ここで、図６を用いて上述したように、Ｎｏ．１の接続設定要求履歴において、接続要求をした通信端末（接続設定端末）３０のＭＡＣアドレス０１：０２：０３：００：００：００と、接続される通信端末３０のＭＡＣアドレス０１：０２：０３：００：００：００とは同一である。このように、新規の通信端末３０のＭＡＣアドレスと、接続設定端末のＭＡＣアドレスとが同一であると判別される場合は（ステップＳ２５；Ｙｅｓ）、ＣＰＵ３１は、このＭＡＣアドレスを有する接続設定端末を接続設定用端末と認定し、接続設定用端末テーブル７０にこのＭＡＣアドレスを書き込み（ステップＳ２６）、処理はステップＳ２８に進む。新規の通信端末のＭＡＣアドレスと、接続設定端末のＭＡＣアドレスとが同一であると判別されない場合は（ステップＳ２５；Ｎｏ）、このまま処理を終了する。
【００５９】
もし、接続設定用端末テーブル７０にＭＡＣアドレスが存在するならば（ステップＳ２４；Ｙｅｓ）、接続設定用端末テーブルのＭＡＣアドレスと接続設定端末のＭＡＣアドレスとが同一であるか否かを判別する（ステップＳ２７）。すなわち、新規の通信端末３０をＩＰ網２０に接続要求をしてきた端末が、接続設定用端末であるか否かを判別する。もし、同一でない場合（ステップＳ２７；Ｎｏ）、処理はこのまま終了し、同一である場合（ステップＳ２７；Ｙｅｓ）、処理はステップＳ２８に移る。
【００６０】
以上の処理を終えた後、ＳＩＰサーバ１０のＣＰＵ１１は、ＩＰ網に２０に接続要求をしてきた端末が、正規の接続設定用端末によるものと認定し、ＲＡＭ１３に記憶された端末接続情報４０に基づいて、新規の通信端末３０をＩＰ網２０に接続する処理を行う（ステップＳ２８）。
【００６１】
以上で、通信端末３０を、ＳＩＰサーバ１０を介してＩＰ網２０に接続する処理は終了する。
【００６２】
以上説明したように、本発明の実施形態に係るＩＰ電話システム１００は、最初に自らの端末接続情報４０を送ってきた通信端末３０であって、ＳＩＰサーバ１０に登録されているもの（ＭＡＣアドレステーブル５０に当該通信端末３０のＭＡＣアドレスの記載があるもの）を接続設定用端末として特定し、その接続設定用端末にのみ他の通信端末３０を接続する権限を与える。そして、各通信端末３０の端末接続情報４０は、それぞれＱＲコード４１として提供され、接続設定用端末のカメラ３７で撮像されたＱＲコード４１に基づいて、接続設定用端末およびＳＩＰサーバ１０は、新規の通信端末３０をＩＰ網２０に接続する。このような構成を採ることで、ＱＲコード４１が付与されているがカメラ３７を備えていない新規の通信端末３０であっても、ＳＩＰサーバ１０はその通信端末３０をＩＰ網２０に容易に接続設定を行うことができる。また、新規の接続端末の接続設定が容易になり、パスワードなどの防護策を特に必要とせずに、悪意ある者がＳＩＰサーバ１０に通信端末３０を接続設定することを防止することができる。さらに、ＳＩＰサーバ１０が遠地にあって、ＳＩＰサーバ１０に直接接続ができず、ＳＩＰサーバ１０を直接設定できない場合であっても、ＳＩＰサーバ１０は通信端末３０をＩＰ網２０に容易に接続設定を行うことができる。
【００６３】
本発明は、上記実施形態に限らず、さまざまな変形や応用が可能である。
【００６４】
上記実施形態では、通信用プロトコルとしてＳＩＰプロトコルを用いたが、通信用プロトコルは任意のものが採用可能である。たとえば、Ｈ．３２３プロトコルを用いてもよい。
【００６５】
上記実施形態では、通信端末３０ごとにＱＲコード４１を作成したが、複数台の通信端末ごとに１つのＱＲコード４１を作成してもよい。
【００６６】
また、上記実施形態では、最初に接続要求を送信した通信端末３０のＭＡＣアドレスと、端末接続情報４０に係るＭＡＣアドレスと、が同一である場合のみ、当該通信端末３０を接続設定用端末として登録するものであったが、接続設定用端末は１台に限らず、複数台であってもよい。この場合、接続要求を送信した通信端末３０のＭＡＣアドレスと、端末接続情報４０に係るＭＡＣアドレスとが同一である場合が２回目、３回目と発生したときに、それぞれの通信端末を２台目、３台目の接続設定用端末として登録してもよい。このとき、図７の接続設定用端末テーブル７０は複数台の接続設定用端末のＭＡＣアドレスを管理する。
【００６７】
また、上記実施形態では、最初に接続要求を送信した通信端末３０のＭＡＣアドレスと、端末接続情報４０に係るＭＡＣアドレスとが同一である場合のみ、当該通信端末３０を接続設定用端末として登録するものであったが、接続設定用端末の登録方法はこれに限られない。たとえば、各通信端末３０に付与されるＱＲコード４１に、当該通信端末３０を接続設定用端末とする旨のフラグを埋め込み、ＳＩＰサーバ１０では、受信した新規の通信端末３０の端末接続情報４０にそのフラグが埋め込まれていることを判別すると、ＳＩＰサーバ１０は、当該新規の通信端末３０を接続設定用端末と認定してもよい。また、上記同様に、接続設定用端末は１台に限らず、複数台であってもよい。
【００６８】
増設する端末は、無線通信制御部３４を持つ通信端末３０に限らず、有線通信端末である固定端末であってもよい。
【００６９】
ＳＩＰサーバ１０による通信端末３０の管理方法、ＳＩＰサーバ１０による通信端末３０の接続要求履歴の管理方法、接続設定用端末の管理方法は、任意の方法を用いてもよい。
【図面の簡単な説明】
【００７０】
【図１】本発明の実施形態に係るＩＰ電話システムの概略図である。
【図２】図１のＳＩＰサーバの構成図である。
【図３】図１の通信端末の構成図である。
【図４】各通信端末に与えられる端末接続情報、および端末接続情報をＱＲコードに変換したものを示す図である。
【図５】ＳＩＰサーバが管理する通信端末のＭＡＣアドレスのテーブルを示す図である。
【図６】ＳＩＰサーバが通信端末から受け取った接続設定要求の履歴のテーブル図である。
【図７】ＳＩＰサーバが管理する接続設定用端末のＭＡＣアドレスのテーブルを示す図である。
【図８】通信端末がＳＩＰサーバに通信端末のＩＰ網への接続を要求する端末接続情報送信処理を示すフローチャートである。
【図９】ＳＩＰサーバが通信端末から受け取った通信端末のＩＰ網への接続要求に基づいて、通信端末をＩＰ網へ接続する端末接続処理を示すフローチャートである。
【符号の説明】
【００７１】
１０            ＳＩＰサーバ
２０            ＩＰ網
３０            通信端末
【図１】
2008252771.tif 000003
【図２】
2008252771.tif 000004
【図３】
2008252771.tif 000005
【図４】
2008252771.tif 000006
【図５】
2008252771.tif 000007
【図６】
2008252771.tif 000008
【図７】
2008252771.tif 000009
【図８】
2008252771.tif 000010
【図９】
2008252771.tif 000011